(57)【要約】【目的】従来の一眼レフレックスカメラに比べ格段に短いフランジバック（レンジファインダーカメラ並み）を実現し、コンパクトで、作動ショックが少なく、心理的、身体的に人間の特性にマッチした一眼レフレックスカメラを提供する。【構成】同期手段、及び前記同期手段により同期作動し、撮影レンズから入射した光を異なる方向に分割反射させ複数のフォーカスクリーン上に像を形成させる複数のクイックリターンミラー、前記フォーカススクリーンからの光を左右の矯正を行うと共に画像記録手段の画像面の背後に設けた統合プリズムに中継する光学系、分割された光を統合する前記統合プリズム、統合された光を受けてファインダー像を形成する接眼レンズから成るファインダー光学系を備えた。【選択図】    図１
2004347638.tif 000002
【特許請求の範囲】
【請求項１】
画像記録手段、
前記画像記録手段の画像面に被写体像を形成する撮影レンズ、
前記画像記録手段の画像面が仮想的に分割されて形成される複数の仮想画面区画と対応関係を成す複数のフォーカススクリーンと、前記撮影レンズと前記画像面の間に、ファインダー観察時、互いに異なる向きに広がり、前記撮影レンズから入射する光を反射し、前記複数の仮想画面区画に生成する画像に対応する画像を前記複数のフォーカススクリーンに形成し、前記画像面への露光時、撮影レンズから画像面に向かう光路から退避する複数のミラーと、前記複数のミラーで分割された光を統合する統合手段と、前記統合手段で統合された光を受けてファインダー像を形成する接眼レンズから成るファインダー光学系、
前記複数のミラーを同期して前記の退避動作を行わせる同期手段、
を備えたことを特徴とするカメラ。
【請求項２】
前記画像記録手段の画像面を前記複数の仮想画面区画に分ける仮想境界線に対応する前記フォーカススクリーン上の仮想線を越えて、前記フォーカススクリーンが余裕を有することを特徴とする請求項１記載のカメラ。
【発明の詳細な説明】
【０００１】
【発明の属する技術分野】
本発明は撮像素子や写真フィルム等の画像記録手段を備えた一眼レフレックスカメラの光学系及び付随する機構に関し、撮影レンズ取り付け部（マウント）の基準面（フランジ面）から画像記録手段の画像面までの距離（フランジバック）を短縮し、撮影レンズ並びにカメラボディを小形にし、かつ古今の名品レンズを装着可能にし、更に顔の形になじむ合理的なデザインを実現できる光学系並びに付随機構に関するものである。
【０００２】
【従来の技術】
一眼レフレックス形式のカメラは、撮影レンズによって生成する画像を直接観察でき、ファインダー光学系を何ら変更することなく撮影レンズを自在に交換でき、如何なる撮影状況にも対応できる。従って撮影意図を忠実に撮影画像に反映でき、主としてプロカメラマンやハイレベルアマチュアカメラマンに使われている。
【０００３】
撮影される画像そのものを直接観察可能にするために、撮影レンズと画像面の間にミラーなどの反射手段を配置して、ファインダー光学系に被写体像を導く一眼レフレックスカメラが知られている。図７に示すように（一般的には光学系に入射する光は、左側から右側へ進むように図示するが、本発明のクイックリターンミラーの右側に配置される機構の説明に便利なように、全ての図は光が右から左に進むように描画する）、従来の一眼レフレックスカメラには撮影レンズ１と、撮像素子や写真フィルム等の画像記録手段の画像面５の間に撮影光学系の光軸０に対し約４５度傾けたミラー３が設けられており、撮影レンズ１から入射した光は、ファインダー観察時にはミラー３によりピントグラス、視野レンズ等から成るフォーカススクリーン部６、ペンタゴナルダハプリズム２０、及び接眼レンズ１１から成るファインダー光学系に導かれ、撮影時にはミラー３が、その後端部の支点軸１２を軸として前縁部３ｆが矢印で示すように円弧を描きながら跳ね上げられて撮影光学系の光路から退避し、フォーカルプレンシャッター（図示せず）が開いた瞬間、画像面５に入射する。
【０００４】
このような従来の一眼レフレックスカメラは、撮影光学系の光路を殆どカバーするようにミラー３が配置され、かつ撮影時にはその前縁部３ｆが円弧を描きながら跳ね上がるから、撮影レンズ取り付け面２から画像面５までの距離、即ちフランジバックＦｂが著しく長くなるために、特に広角系のレンズは、大型の逆望遠（レトロフォーカス）型にせざるを得ない。またズームレンズなどを設計する場合にも多大な制約を受けることになる。
【０００５】
また、従来、一眼レフレックスカメラではないレンジファインダーカメラには、独特の描写をする名品とされる交換レンズ、例えばライカカメラ用交換レンズが数多く存在し、これらのレンズは、フランジバックが長い一眼レフレックスカメラに通常の撮影では使用できない。
【０００６】
かねてより一眼レフレックスカメラのフランジバックを短くする多くの発明が為されている。特に格段にフランジバックを短縮化した発明として、下記の特許がある。
ＵＳＰ５，４８１，３２４
日本国特許第３４０２６５５号
【０００７】
前記特許に依ればフランジバックを極めて短く押えることができるが、画像面と撮影レンズの間にプリズムを配置する必要があり、前記プリズムは諸収差を発生させ、ゴミやチリなどが付着したり、意図しない反射によりゴーストやフレアーなどが発生する恐れがあるなど、画像に少なからぬ影響を与える懸念がある。
【０００８】
また一眼レフレックスカメラに限らず全てのカメラの光学ファインダーは、図７に示すように、光軸ｆ０が撮影レンズ１の光軸０から離れた位置に設けられる。従来のカメラでは、撮影レンズの光軸０とファインダーの光軸ｆ０が一致しないのは当り前であると考えられ、撮影者が望遠鏡や双眼鏡等の光学機器を自然な感覚で覗くようにはできないものと初めから諦めさせられていた。
【０００９】
また、従来の一眼レフレックスカメラはカメラボディの上に、大きな瘤のような塊を形成するペンタプリズムを載せることは当然とされていた。さらに、従来の一眼レフレックスカメラのファインダー接眼レンズは、ボディ背面の中央上部に配置せざるを得なかった。ファインダー観察時、顔を正面に向けていては鼻が邪魔になり、ファインダー視野全体を眺めることができなかった。顔の向きを斜め方向にずらして斜に構え、鼻先を脇に逃がし、視線だけ正面に向けることにより、接眼レンズに瞳を近付けることができ、ファインダー視野全体を見ることができる。特に西欧人など鼻が高く、且つ瞳が顔面の奥にある人々にとってきついしぐさである。顔をそむけながら一眼レフレックスカメラのファインダーを覗くこと、これも当り前と考えられ、何ら疑問が呈されることさえ無かった。レンジファインダー式の高級カメラでは、１９２０年代から、上記問題を解決するため、接眼レンズは撮影者から見て左側に寄せ鼻が邪魔にならない位置にある。一眼レフレックスカメラの接眼レンズ位置は、瘤のようなペンタプリズムの大きさと共に、未解決問題として取り残されているに関わらず、問題点として認識されていない。
【００１０】
また、シャッターボタンを押してから実際の撮影が行われるまでの時間遅れを可能な限り短くするため、またファインダー像消失時間をできるだけ短くするため、更に、毎秒複数コマ（例えば８コマ）のモータードライブ撮影を可能にするため、一眼レフレックスカメラのクイックリターンミラーは素早く動かすことが必須である。そのためにある程度の衝撃が発生することは仕方がないと考えられてきた。クイックリターンミラー作動に伴うミラー部の急激な回転加速度に起因して発生する慣性モーメントに依る衝撃、加速されたミラー部が停止する時の衝撃は、撮影画像のブレや後述する自動焦点調節機能（オートフォーカス、ＡＦ）の被写体距離測定誤差となって現れるから致命的であった。前記の衝撃を吸収するために、種々の複雑な衝撃吸収機構を備える必要がある（朝日新聞社刊、朝日選書６４８、小倉磐夫著、国産カメラ開発物語、２２０〜２２５頁）。
【００１１】
【発明が解決しょうとする課題】
本発明は上記事情に鑑み、クイックリターンミラーを有しながらフランジバックが短く、古今のあらゆるレンズが使え、ミラーの作動ショックが極めて少なく、カメラボディに異様な瘤を作らず、人間工学的に理想のファインダー光学系を備えた一眼レフレックスカメラを提供することを目的とする。
【００１２】
【課題を解決するための手段】
本発明の基本を成す機構は、前記特許記載の請求項１９、及び第９の実施例（図１４）に関連するものである。前記の特許実施例は、撮影レンズと画像面の間に、画像に悪影響を与える恐れがあるプリズムが挿入されるが、本発明では前記プリズムに代えて複数に分割されたクイックリターンミラー（撮影の瞬間だけ、撮影光学系光路から退避するミラー）を設けてフランジバックを短縮化する。
【００１３】
単に、単純な動作をする複数個のクイックリターンミラーに置き換えたたけでは上記目的を達成できない。上記目的を達成するために下記の新たな作動機構が必要になる。
１）  複数個に分割されたクイックリターンミラーの前端軌跡が、前方に張り出さないように、複数個のクイックリターンミラー回動の支点を回動動作と同時に連動して動かす機構。
２）  複数個のクイックリターンミラーの動作を同期化させる機構。
３）  同期化された、複数個のクイックリターンミラーが、撮影光学系から退避した合図を基にシャッターを作動させる機構。
４）  シャッターの作動が完了した合図を基に、複数個のクイックリターンミラーを同期させて原状に復帰させる機構。
【００１４】
上記の光学系及びミラー作動諸機構を採用することに依り、又は後述する機構を付加することに依り、下記の多大な効果が得られる。
イ）  フランジバックを、例えばライカマウントの２７．８ミリ／２８．８ミリに押えることができる。このことから、広角レンズや広角系ズームレンズを小型化できる。また古今の名品とされるライカマウント等のレンズが使えるばかりでなく、アダプターを介して一眼レフレックスカメラ用レンズも含む古今東西のレンズを装着して撮影可能な一眼レフレックスカメラを実現できる。
ロ）  クイックリターンミラーを、例えば２分割することにより、各々の慣性モーメントを４分の１に激減させることができ、且つ各々のクイックリターンミラーを同期して逆方向に回動させることにより、慣性モーメントが互いに打ち消され、慣性モーメントに起因する衝撃を殆どゼロに押え込むことができる。
ハ）  図６に示すように、本発明の光学系を採用することにより、撮影レンズ１の光軸０の延長上にファインダー光軸ｆ０を設けることができ、かつ正視しても鼻先が邪魔にならないボディ形状とすることができる。また、液晶等の撮影諸条件表示パネル、又はデジタルカメラの画像表示パネル４５、４５’をカメラ背面の接眼レンズ目線と同一高さに配置することができる。さらに、大きな瘤を作るペンタプリズムを無くすことにより、ボディ形状をシンプルな形にすることができ、人間工学的に理想の形態を実現でき、道具として、人に無理を強いないカメラデザインを創出できる。
前記イ）において、レンズ交換取付けのためのマウントを設けることを前提として記述したが、本発明はレンズを交換しない一眼レフレックスカメラに適用しても、前記のレンズ交換に関連する効果以外は、多大な効果が発揮されることは云うまでも無い。
【００１５】
上記作動機構のうち、１）、３）、及び４）は従来の一眼レフレックスカメラにも類似の実施例、公知例がみられるが、前記２）項は全く新規な動作機構である。このクイックリターン動作同期化が達成されてあじめて、複数個のクイックリターンミラーを設けた一眼レフレックスカメラシステムが実現できる。本発明の主たる要件は、複数個のクイックリターン動作の同期化手段にある。さらに本発明の光学系及びクイックリターン機構を採用するに当り、併せて実施すると、多大な効果が得られる付加機構がある。本発明の光学系並びに付加機構について以下に示す実施例において詳しく説明する。
【００１６】
【実施例】
図１は２分割されたクイックリターンミラーを含む光学系を示す。図１において撮影レンズ１と画像面５の間に、撮影レンズ１の側から順に撮影レンズ１の光軸０に対し対称に、それぞれ外側に向けて約４５度傾いた２枚のミラー３、３’、フォーカルプレンシャッター４（図１はフォーカルプレンシャッターの占めるスペースのみを示す）が配置される。撮影レンズ１から入射した光は、２枚のクイックリターンミラー３、３’により、上下のフォーカスクリーン部６、６’に、２分割された被写体像をそれぞれ形成し、中継ミラー７、７’により後方に反射され、２面が直角に会合し屋根型を形成するダハミラー８、８’に入射し反射され左右反転し、背面ミラー９に入射し反射され、正三角柱、乃至は二等辺三角柱を形成する統合プリズム１０へそれぞれ傾斜面１０ａ、１０ｂから入射し、それぞれ反対側の傾斜面１０ｂ、１０ａで全反射され、分割された光が統合されて接眼レンズ１１を通り観察者の瞳に入射する。
【００１７】
撮影時には撮影レンズ１から入射した光は、クイックリターンミラー３、３’が点線で示す撮影位置３”に退避し、（瞬間絞り機構を備えたカメラにおいては、同時に撮影レンズ１の絞りも、自動絞り機構により所定の絞り値にセットされ、シャッター作動完了後、開放に戻るが、絞り作動諸機構については図示しない）退避し終った信号を基に開いたフォーカルプレンシャッター４の開口部を通過し、画像面５に被写体像を形成する。所定のシャッター開放時間が経過した後フォーカルプレンシャッター４が閉じ、閉じた信号を基に、２枚のクイックリターンミラー３、３’は元の観察位置に復帰して一連の動作を完了する。
【００１８】
撮影時、画像面５の中心５ｃに結像する光は、ファインダー観察時、クイックリターンミラー３、３’により上下２手に分かれ、それぞれフォーカススクリーン６、６’上の各点ｃ、ｃ’に被写体像を形成する。画像面５を上下の仮想画像区画に分け、中心５ｃを通り紙面に垂直な仮想境界線５ｃＬは、前記フォーカススクリーン６、６’上の各点ｃ、ｃ’を通り紙面に対し垂直な仮想線ｃＬ、ｃ’Ｌに対応している。これらの仮想線については後述する。前記の各点ｃ、ｃ’から発した光は１点鎖線で示す光路の近傍をそれぞれ通り、統合プリズム１０で統合され、ファインダーの光軸ｆ０の近傍を進み瞳に達する。
【００１９】
図１に平面的に示した配置を図２に、中央で切断した斜視図として立体的に示す。光学系は基本的には左右対称であり、図２には、原則として中央断面と右側部分を示すが、ダハミラー８、８’の左側部分を２点鎖線で示すと共に、クイックリターンミラー３、３’の左右の互いに等価な機能を持つ作動機構のうち右側の作動機構を示してある。
【００２０】
図２は、クイックリターンミラー３、３’が観察位置に有る場合を示している。第１の固定軸１７（図２において固定基盤系に取り付けられた軸やピンは基部に多条斜線を施す）に回動可能に軸支された２個のミラーレバー１６、１６’は、他端の各第１の関節軸１５、１５’に依り、２枚のクイックリターンミラー３、３’を保持するミラー支持板３ｈ、３’ｈから裏側に伸びる第１のミラーアーム３ｐ、３’ｐに回動可能な状態で軸支されている。ミラー支持板３ｈ、３’ｈの表側に伸びる第２のミラーアーム３ｑ、３’ｑは、クイックリターンミラー３、３’が回動する支点として働く第２の関節軸１２、１２’  に依り、支点レバー１３、１３’に回動可能な状態に軸支される。前記の支点レバー１３、１３’は第２の固定軸１４、１４’に回動可能に軸支され、各ミラー支持板３ｈ、３’ｈの裏側をまわり込んで左側の作動機構部とつながっており、クイックリターンミラー３、３’の左右不均衡な捻じれ作動を防止している。
【００２１】
２個のミラーレバー１６、１６’が第１の固定軸１７を中心に互いに上下に開くと、第１の関節軸１５、１５’に依りクイックリターンミラー３、３’が動き、第２の関節軸１２、１２’が互いに上昇下降を行い、上下２個の支点レバー１３、１３’も第２の固定軸１４、１４’を中心に回動し、２枚のクイックリターンミラー３、３’はそれぞれ撮影位置まで互いに上昇下降を行う。前記ミラーレバー１６、１６’は、図２に示していない左側のミラー駆動レバー１６ｄ、１６’ｄ（図５参照）により動作が起動され、実際には主動部材ではなく従動部材である。ミラー駆動レバー１６ｄ、１６’ｄについては後述する。
【００２２】
図３、図４に、２枚のクイックリターンミラー３、３’のうち、上側のクイックリターンミラー３の基本作動を示す。下側にも撮影レンズの光軸に対しクイックリターンミラー３と対称なクイックリターンミラー部３’が設けられるが、クイックリターンミラー３’は後述する同期手段により、作動もミラー部３と対称に、同期して行なわれるから省略してある。図３はクイックリターンミラー３がファインダー観察位置にある状態を、図４は撮影位置にある状態を示す。図３、図４において、ミラー３の基本作動を簡素に示すため、４箇所の軸間を３本の軸間線（２点鎖線）１３Ｌ、３Ｌ、１６Ｌで結んで示す。
【００２３】
図３、図４に示す３本の軸間線１３Ｌ、３Ｌ、１６Ｌが、２軸固定２関節移動のリンクを形成し、クイックリターンミラー３の前端３ｆが、前方に大きく弧を描くことなく、大略直線的に上昇する作動は、クイックリターンミラー３、３’の２分割との相乗効果で、前述のフランジバックＦｂの更なる短縮化を可能にする。
【００２４】
図３において第１の固定軸１７に回動可能に軸支されたミラーレバー１６が矢印１５ｒ方向に回動すると（実際には、紙面手前方向にある図示しないミラー駆動レバーにより回動される）、第１の関節軸１５で関節結合されたクイックリターンミラー３が始動し始め、第２の固定軸１４に軸支された支点レバー１３も矢印１２ｒ方向に回動して、クイックリターンミラー３は上昇する第２の関節軸１２を支点として回動しながら、図４に示す位置に上昇する。クイックリターンミラー３は、フォーカルプレンシャッター（図示せず）の作動が完了すると、図４に示す矢印１２ｒ、１５ｒの方向に回動し観察位置に復帰する。
【００２５】
図５に２枚のクイックリターンミラー３、３’の作動機構及び駆動機構を示す。図５はクイックリターンミラー３、３’の中央から左側を図示している。図５のクイックリターンミラー３、３’の左側の２点鎖線３６内に示す作動機構は図２、図３、図４に示す右側の作動機構と対を成し、等価な動きをする。図５における２点鎖線３６の左外側にある機構はクイックリターンミラー３、３’の駆動機構である。図５において、駆動機構はメカニカルに図示してあり、作動説明はその要素部品の動きを具体的に示すことによって行う。メカニカルな動作を電気的、電磁的に置き代えることができるが、要素部品のメカニカルな動作を説明することにより、本発明の概念を具体的に述べる。図５に示す水平方向に延びる軸やピンは、要素部品の隠れを無くし、その動作をはっきり示すために、意図的に長く描画してある。
【００２６】
図５に実線で示したクイックリターンミラー３、３’や、その他作動諸機構は、クイックリターンミラー３、３’がファインダー観察位置にあり、後述する２個の起動力バネがチャージされた状態にある。点線で示した状態は（後述する第２の起動レバー２８以外は）クイックリターンミラー３，３’が撮影位置にある状態を示す。
【００２７】
前述のように、図５の２点鎖線３６内に示す作動機構のうち、ミラー駆動レバー１６ｄ、１６’ｄの形状は図２、図３、図４に示すミラーレバー１６、１６’と異なる。図５に示すミラー駆動レバー１６ｄ、１６’ｄの第１の固定軸１７（図５において固定基盤系に取り付けられた軸やピンは基部に斜め多条線を以って示す）、及び第１の関節軸１５、１５’の位置は図２、図３、図４に示すミラーレバー１６、１６’  のそれぞれの軸位置と等しく、相異は同期駆動軸２２、２２’により同期レバー２１，２１’に回動可能状態に軸支されている点にある。
【００２８】
同期レバー２１，２１’  は、第３の固定軸２６に回動可能に軸支された第１の起動レバー２４へ、起動軸２３により回動可能に軸支されている。第３の固定軸２６には第２の起動レバー２８も回動可能に軸支されている。
【００２９】
第３の固定軸２６に掛かる第１の起動バネ２５の後方端２５ｒが起動レバー２４に植設された起動軸２３の延長ピン部に係合し（必ずしも、第１の起動軸２３の延長部である必要はない）、前方端２５ｆが第２の起動レバー２８に植設された起動レバーピン２９に係合し（必ずしも起動レバーピン２９に係合する必要は無く、バネ力が第２の起動レバー２８に伝わればよい）、第１の起動レバー２４は、第２の起動レバー２８との間に、互いに引き合う緊張関係にあり、反時計方向に付勢されている。
【００３０】
第２の起動レバー２８は、第３の固定軸２６に掛かる第２の起動バネ３１の前方端３１ｆが前記起動レバーピン２９に係合し、後方端３１ｒが基盤に植設されたバネ掛け固定ピン３２に係合しており、固定基盤系に引かれて、時計方向に付勢されている。
【００３１】
第１の起動レバー２４は、バネ３３により反時計方向に付勢された第１のフック２７により係止させられ、また第２の起動レバー２８は、バネ３４により時計方向に付勢された第２のフック３０により係止させられている。
【００３２】
シャッターレリーズ操作を行うと、図示しないシャッターレリーズ機構ににより、第１のフック２７が矢印方向に回動して外れ、第１の起動レバー２４は第１の起動バネ２５の復元力で矢印反時計方向に回動し、起動軸２３に依り２個の同期レバー２１，２１’  を動かし、作動を２手に分け、同期駆動軸２２、２２’、第１の関節軸１５、１５’をそれぞれ図示した矢印の方向に動かし、最終的にクイックリターンミラー３、３’を撮影光学系光路から退避させる。図５に図示した、上下の各機構は対称的に同様な動きをするが、起動軸２３は第３の固定軸２６を中心とする下側にやや膨らむ円弧運動をするから、クイックリターンミラー３、３’の退避作動過程は互いに完全に同一の作動では無く、作動の前半期には下側のクイックリターンミラー３’の作動が相対的にわずかに進み、後半期に上側のクイックリターンミラー３が相対的に遅れを取り戻すように進み、作動の始点と終点では一致する。
【００３３】
クイックリターンミラー３、３’が撮影光学系の光路から完全に退避し終り、図示しない自動絞り機構が適正な絞りをセットし終った信号に基づき、図示しない機構により、第２のフック３０が反時計方向に回動し、第２の起動レバー２８は、係止が外れ、第２の起動バネ３１の復元力で矢印時計方向に回動し、第２の起動レバー２８に植設された起動レバーピン２９によって、第１の起動レバー２４が図示した矢印と反対方向に連れ戻される。第１の起動レバー２４が連れ戻される過程は、先のクイックリターンミラー３、３’が跳ね上げられた過程と逆の動作であり、リンク機構で繋がっているクイックリターンミラー３、３’は観察位置に戻り、第１の起動レバー２４は第１のフック２７で係止され、図示しない自動絞り機構が絞りを開放に戻す。
【００３４】
上記作動が完了した信号を基に自動的に、乃至は人為的操作により、図示しないシャッター機構をチャージし、写真フィルムカメラの場合は、同時にフィルムを巻き上げるとともに、チャージレバー３５が矢印方向に動き、第２の起動レバー２８は、矢印と反対の反時計方向に動き、起動レバーピン２９により第１の起動バネ２５、及び第２の起動バネ３１を開いてチャージし、第２のフック３０により係止される。なお、チャージレバー３５は、第２起動レバー２８を動かした後、第２起動レバー２８の作動範囲から退去する。
【００３５】
前述の一連の動作によって、クイックリターンミラー３、３’は、図５に実線で示したファインダー観察状態に戻り、カメラは撮影待機状態にセットされる。
【００３６】
上述のチャージレバー３５を動かす動力源は、電磁的なモーターなどの動力を用いてもよいし、手動によってもよい。また、クイックリターンミラー３、３’の動力源は、第１の起動バネ２５と第２の起動バネ３１の復元力に依るものとして説明したが、動力源として電磁的な力、例えばモーター、ソレノイドなどに、双方ともに又はどちらか一方のみ、置き換えてもよい。第１のフック２７、第２のフック３０の動作は機械的に行ってもよいし、電磁的な力、例えばモーター、ソレノイドなどに、双方ともに、又はどちらか一方のみ置き換えてもよい。
【００３７】
動力源として何を採用するにしても、上下２枚のクイックリターンミラー３、３’が大略同期して行なわれることが必須である。クイックリターンミラー３、３’の動作は、機械的動力源である第１の起動バネ２５と第２の起動バネ３１の復元力を、一つの部材、即ち第１の起動レバー２４から、起動軸２３を介して２個の同期レバー２１，２１’  により上下のクイックリターンミラー３、３’の駆動機構を同期して動かしている。以上述べた同期手段は、１つの起動レバー２５、１つの起動軸２３、２つの同期駆動軸２２、２２’等明確に具体的に示すことができるが、同期を行う手段や部材が具体的に示されなくても、シャッターが作動する直前に、信号の授受により全体のシーケンスとして大略同時に複数のクイックリターンミラー作動が行われてもよい。
【００３８】
複数のクイックリターンミラーの各駆動機構に別々の駆動力源を設け、起動開始トリガーを大略同時に働かせる同期手段を設けてもよい。同期手段は機械的に行ってもよいし、電気的、電磁的に行ってもよい。何れの方法を採るにしても、複数のクイックリターンミラーの各駆動機構が大略同時に働くこと、即ち同期手段を設けることが求められる。
【００３９】
以上述べたように、複数のクイックリターンミラーは同期して互いに逆方向に回動させるならば、互いに慣性モーメントは打ち消し合う。また、慣性モーメントは回転半径方向長さの二乗に反比例するから、本実施例の２枚のクイックリターンミラー３、３’は、長さが従来の一眼レフレックスクイックリターンミラーの約２分１になり、個々のクイックリターンミラー３、３’の慣性モーメントは４分１に減少することになる。しかも、回動方向が互いに逆向きであるから、慣性モーメントは互いに打ち消し合い、従来の一眼レフレックスカメラに生じていたクイックリターンミラー回動に起因するショックを原理的に大略ゼロに軽減できる。
【００４０】
前記クイックリターンミラー３、３’とシャッターの連携動作は画像面５の直前に位置するフォーカルプレンシャッター４を前提として説明したが、本発明のクイックリターンミラー３、３’は、撮影レンズ２の鏡胴中に，又は撮影レンズ２の近傍の画像面５側に設けられるレンズシャッターに対しての適性も備えている。
【００４１】
レンズシャッターを備えた一眼レフレックスカメラは、ファインダー光学系に光を導くクイックリターンミラー３、３’の撮影レンズ１側にシャッターが配置され、ファインダー観察中はシャッターが開いている。従来の一眼レフレックスカメラのミラーは、先に述べたように、フランジバックを短くし、カメラ函体、撮影レンズ鏡胴を小形にするため、ファインダー視野のかげりが実用上支障にならない程度にミラー先端が切り落とされており、撮影光学系光路全体を覆っているわけではない。ファインダー観察中、光は画像面方向にも多量に漏れており、フォーカルプレンシャッターカメラでは、このフォーカルプレンシャッターがカバーし遮光している。従って．従来のレンズシャッター一眼レフレックスカメラでは、画像面への光を遮断し、実際の撮影が行われる直前に退避する遮光板を、画像面とミラーの間に、別に設ける必要があった。本発明の分割されたクイックリターンミラー３、３’は、撮影光学系光路全体を覆っており、ミラー自体がファインダー観察時、遮光機能を有しており、別に遮光板を設ける必要はなく、レンズシャッター一眼レフレックスカメラの機構を簡素化できる。
【００４２】
本発明の光学系によれば、図６に示すように、ファインダー接眼レンズ１１の光軸ｆ０を、撮影レンズ光軸０延長上のカメラボディ背面の丘陵部頂上に設けることができ、鼻が邪魔にならない。顔を正面に向けたまま、瞳を接眼レンズ１１に近付けることができ、自然な仕ぐさでファインダー視野全体を観察できる。また従来の一眼レフレックスカメラでは撮影レンズ光軸０とファインダー光軸ｆ０の方向を一致させる機能、及び被写体像の左右を矯正する機能を、ボディ上部で全て行う嵩張るペンタプリズムがカメラボディ上部を占拠していた、本発明の光学系は、カメラボディの上下部で、フォーカススクリーン６、６’からの光を、カメラ背面に送る機能だけを担わせることにより、画面サイズが３５ｍｍフォーマットで、視野率（撮影画面とファインダー視野カバー範囲の比率）１００％としても、光学系そのものの高さを約７２ミリ以下に、カメラボディの高さを最大でも７５ミリ以下に押えることができ、レンジファインダーカメラと同等以下にすることができる。因みに、レンジファインダーカメラ古今の傑作とされるライカカメラのボディ高さはＭ３型で７７ミリ、Ｍ６／Ｍ７型で７９．５ミリである。さらに従来の一眼レフレックスカメラは３５ミリフォーマットの場合最も背丈が低いものでも８４ミリである。
【００４３】
以下に、本発明のファインダー光学系において、ケラレやカゲリのない安定したファインダー視野を得るための手段を述べる。先に述べたように、図１及び図２において、ファインダー観察時、画像面５の中心５ｃを通り画面を上下に２分する仮想境界線５ｃＬから上側の画面の縁５ａＬまでの画面区画に入射する光は、前記画面区画に対応する上側フォーカススクリーン６上で前記仮想境界線５ｃＬに対応する仮想線ｃＬから、画面の縁５ａＬに対応する仮想線ａＬまでの範囲に像を形成し、上側の光学系を経由してカメラの後方へ回り込み統合プリズム１０へ、上側傾斜面１０ａから入射し、下方の傾斜面１０ｂで全反射され接眼レンズ１１に到達する。同じように、前記仮想境界線５ｃＬから下側の画面の縁５ｂＬまでの画面区画に入射する光は、前記画面区画に対応する下側フォーカススクリーン６’上で、仮想境界線５ｃＬに対応する仮想線ｃ’Ｌから画面の縁５ｂＬに対応する仮想線ｂＬまでの範囲に像を形成し、下側の光学系を経由してカメラの後方へ回り込み統合プリズム１０へ、下側傾斜面１０ｂから入射し上方の傾斜面１０ａで全反射され、分割された光が統合されて、接眼レンズ１１に到達する。
【００４４】
図１において、前記仮想境界線５ｃＬのわずかに上方寄りの点５ｄに到達する光は、ファインダー観察時、上側のフォーカスクリーン６上の仮想線線ｃＬよりもわずかに接眼レンズ１１寄りの点ｄに到達し、上方の光学系を経由し、統合プリズム１０へ上方傾斜面１０ａから入射し、下方傾斜面１０ｂで全反射され、接眼レンズ１１を通り、ファインダー光軸ｆ０の下側を通って観察者の瞳に達する。瞳が、ピンホール（径が小さい）状態で、ファインダー光軸ｆ０から上方にずれた時、点ｄからの光は瞳に入射しないことになる。即ちファインダー視野中央に、横方向に伸びる帯状に視野の欠落（ケラレ）が発生することになる。実際には、瞳の径は数ミリの大きさを持っているから、直ぐにケラレになることはないが、瞳がファインダー光軸ｆ０から大きくずれた場合にはケラレが発生する懸念がある。
【００４５】
上述のケラレを防止するため、フォーカスクリーン６、６’を、前記仮想境界線に対応する仮想線ｃＬ、ｃＬ’  を越えて撮影レンズ１の側の位置ｅ、ｅ’まで余裕を以って広げて設けることにより、例えば瞳がファインダー光軸ｆ０の上方にずれて、上側フォーカスクリーン６上の点ｄからの光が瞳に入射しなくても、点ｄと等価な下側の点ｄ’からの光が瞳に入射し、ケラレは発生しない。前記の点ｄ’は、撮影レンズ２の絞りが小さくピンホール状の場合には、被写体からの光は到達しないが、ファインダー観察時、一般的にはレンズの絞りは開放状態で相当の大きさを持っており、且つ撮影レンズ中心付近の光量は周辺に比べ多いから、ファインダー視野内にケラレやかげりが認められることはない。もし常に瞳が接眼レンズ光軸ｆ０上にあるなら、原理的には、フォーカススクリーン６、６’は前記仮想境界線ｃＬ、ｃＬ’までの広がりで充分であるが、実際には瞳位置の変動に対処するため、前方の位置ｅ、ｅ’まで広げておく必要がある。
【００４６】
瞳が接眼レンズ光軸ｆ０付近に位置する場合、瞳は数ミリの瞳径を有しているから（明るさに応じて、２ミリから７ミリくらい変動する）、フォーカススクリーン６、６’が前方の位置ｅ、ｅ’まで広がっていれば、フォーカススクリーン６、６’上の仮想線付近の点ｄ、ｄ’は、上下の光学系を経由して同時に１点として認識でき、安定したファインダー視野を得ることができる。
【００４７】
本発明の光学系は、従来の一眼レフレックスカメラに比較し容易に自動化機能を取り入れることができる。従来の一眼レフレックスカメラに、自動焦点調節機能（オートフォーカス、ＡＦ）を取り入れる場合、図７に示すように、少なくとも一部を半透明化したクイックリターンミラー３の背面に、撮影時のミラー跳ね上がり時に、連動して折りたたまれる小型のＡＦ用サブミラー３７を設ける必要があった。このクイックリターンミラーに取り付く小判鮫ようなサブミラー３７は、赤外線カットフィルター３８、コンデンサーレンズ３９、ミラー４１、絞りマスク４２、セパレータレンズ４３、ＡＦセンサー４４等から成り、極めて高い精度が要求されるＡＦセンサーモジュール４０に光を導く光学部品であり、極めて高い寸法精度、角度精度が要求されるに関わらず、回動するクイックリターンミラー３の背面に屋上屋を重ねる形で設けられている。
【００４８】
本発明の光学系は、ＡＦ機能を取り入れるためのＡＦセンサーモジュール４０を従来の一眼レフレックスカメラに較べ容易に設けることができる。図１において、少なくともどちらか一方のフォーカススクリーン６、６’上の部位ｃ、ｃ’  付近は光学的には殆ど機能を持たない素通し部とするか、又は光学的機能要素部品としてコンデンサーレンズのみを設け、少なくとも一方の、また少なくとも一部を半透明鏡にした上側の中継ミラー７及び／または下側の中継ミラー７’の背後に、例えば赤外線カットフィルター３８、コンデンサーレンズ３９、ミラー４１、絞りマスク４２、セパレータレンズ４３、ＡＦセンサー４４等から成るＡＦセンサーモジュール４０を設けるだけで合焦検出光学系としての機能を達成できる。図７に示す従来の一眼レフレックスのように、回動するクイックリターンミラー３の裏側に、回動するサブミラー３７を別に設ける必要は無く、本発明のＡＦ機構検出光学系は、安定した固定系に設けた不動の基本光学要素部品から成る。
【００４９】
オートフォーカスとせず、マニュアルフォーカスの場合には、前記のフォーカススクリーン６、６’上の部位ｃ、ｃ’  付近  の少なくともどちらか一方に、合焦認識手段としてマイクロプリズム、乃至はスプリットイメージプリズムを設けてもよい。
【００５０】
少なくとも一方の少なくとも一部を半透明鏡にした中継ミラー７、７’の背後に、光量測定素子（図示せず）を設けて、ＴＴＬ（撮影レンズに依って生成する被写体像の明るさを測る）システムを構築してもよいし、統合プリズム１０とダハミラー８、８’の間の少なくとも一方に、中継ミラー７、７’とダハミラー８、８’とを介してフォーカススクリーン６、６’からの光を受光する光量測定素子４６を設けてもよい。さらに接眼レンズ１１の両脇にフォーカススクリーン６，６’からの光を受光する光量測定素子（図示せず）を設けてもよい。
【００５１】
【発明の効果】
以上述べたように、本発明の光学系並びにクイックリタンミラーの作動機構を一眼レフレックスカメラに採用することにより以下の効果が得られる。
１）  フランジバックをレンジファインダーカメラ同等（例えば２７．８ｍｍ）に短縮できる。その結果下記の効果が得られる。
イ）広角レンズ、広角系ズームレンズを小型化できる。
ロ）古今の名品レンズをアダプタを介して装着し撮影できる。
２）  ショックが極めて小さいクイックリターンミラー機構を実現できる。
イ）２分割ミラーの場合、慣性モーメントを４分の１に軽減できる。
ロ）互いに逆向きの慣性が、ショックを互いに減殺し合う。
ハ）上記要因から、高速連続撮影（モータードライブ）適性を有する。
３）  人間工学的に理想な形態を実現できる。
イ）  接眼レンズ周りを鼻が邪魔にならない形状にできる。
ロ）  撮影レンズ光軸にファインダー光軸が一致し自然な感覚で観察できる。
ハ）  表示パネルを接眼レンズと同一高さに並べられる。
ニ）  ペンタプリズム瘤を無くし高さを低くできる（３５ミリフォーマット、視野率１００％で、７５ミリ以下。ライカＭ６／７：７９．５ミリ）。
４）  安定したファインダー視野が得られる。
ファインダースクリーンを前方（撮影レンズ側）へ余裕をとることにより、瞳孔が移動してもかげりが発生せず安定した視野が得られる。
５）  自動化に対応できる適性を備えている。
イ）  ＡＦセンサーを高精度でシンプルに配置できる。
ロ）  ＡＥセンサーを設計仕様に応じて何処にでも配置できる自由度がある。
６）  レンズシャッター適性を備えている。
ミラー自体が遮光機能を有するから、遮光板を付加する必要がない。
【図面の簡単な説明】
【図１】本発明のカメラ実施例断面図である。
【図２】本発明のカメラ実施例斜視断面図である。
【図３】本発明のカメラのクイックリターンミラー実施例側面図である。
【図４】本発明のカメラのクイックリターンミラー実施例側面図である。
【図５】本発明のカメラのクイックリターンミラー実施例斜視図である。
【図６】本発明のカメラの実施例斜視図である。
【図７】従来のカメラの光学系断面図である。
【符号の説明】
１              撮影レンズ
２              撮影レンズ取り付け面（フランジ）
３（３’）        上側（下側）のクイックリターンミラー
５              画像記録手段の画像面
６（６’）        上側（下側）のフォーカススクリーン
１０            統合プリズム
１１            接眼レンズ
１２（１２’）    上側（下側）第２の関節軸
１３（１３’）    上側（下側）支点レバー
１４（１４’）    上側（下側）第２の固定軸
１５（１５’）    上側（下側）第１の関節軸
１６（１６’）    上側（下側）ミラーレバー
１６ｄ（１６’ｄ）上側（下側）ミラー駆動レバー
１７            第１の固定軸
２１（２１’）    上側（下側）同期レバー
２２（２２’）    上側（下側）同期駆動軸
２３            起動軸
２４            第１の起動レバー
２５            第１の起動バネ
２６            第３の固定軸
２８            第２の起動レバー
２９            起動レバーピン
３１            第２の起動バネ
３５            チャージレバー
４０            ＡＦセンサーモジュール
４６            光量測定素子
【図１】
2004347638.tif 000003
【図２】
2004347638.tif 000004
【図３】
2004347638.tif 000005
【図４】
2004347638.tif 000006
【図５】
2004347638.tif 000007
【図６】
2004347638.tif 000008
【図７】
2004347638.tif 000009